(57)【要約】【目的】  読み取り原稿をメモリに蓄積中でも通信装置の資源状態をチェックし、必要な資源が空いた時点で発呼を試みて効率的なクイックメモリ送信を行なえるようにする。【構成】  システム制御部５は、画像データの蓄積が完了する前からその蓄積されている画像データを相手先装置に送信するクイックメモリ機能において、上記送信と多重動作できない自装置資源の動作状態を監視し、その監視によって自装置資源の動作状態が終了したと判断した場合に、上記クイックメモリ機能における送信動作を開始させる。【選択図】        図１
2005304086.tif 000002
【特許請求の範囲】
【請求項１】
蓄積手段に画像データの蓄積が完了する前から前記蓄積手段に蓄積されている画像データを相手先装置に送信するクイックメモリ機能を備えた通信装置において、
前記送信と多重動作できない自装置資源の動作状態を監視する監視手段と、
前記監視手段によって前記自装置資源の動作状態が終了したと判断した場合に、前記クイックメモリ機能における送信動作を開始させる送信開始手段と、
を有することを特徴とする通信装置。
【請求項２】
前記蓄積手段の蓄積残量が所定量以下であるか否かを判断する残量判断手段と、
前記残量判断手段によって前記蓄積手段の蓄積残量が所定量以下になっていると判断した場合には、前記クイックメモリ機能における蓄積動作を中止させると共に、前記蓄積手段に既に蓄積されている画像データの送信は継続させる送信継続手段と、
を有することを特徴とする請求項１に記載の通信装置。
【請求項３】
前記蓄積手段の蓄積残量が所定量以下であるか否かを判断する残量判断手段と、
前記残量判断手段によって前記蓄積手段の蓄積残量が所定量以下になっていると判断した場合には、前記クイックメモリ機能における蓄積動作を中止させると共に、前記蓄積手段に既に蓄積されている画像データの送信を継続させるか否かを利用者に選択させる選択手段と、
を有することを特徴とする請求項１に記載の通信装置。
【発明の詳細な説明】
【技術分野】
【０００１】
この発明は、ファクシミリ装置等の通信装置に関する。
【背景技術】
【０００２】
従来、ファクシミリ装置等の通信装置には、全ての原稿を一旦メモリに記憶してから送信を開始するメモリ送信機能と、相手先に接続してから原稿を読み取りながら送信する直接送信機能の２つのモードが存在する。
【０００３】
最近では、このような２つ機能の中間的な機能として「クイックメモリ送信機能」が存在する。
このクイックメモリ送信機能は、原稿を読み取りながらメモリに蓄積し、メモリに蓄積された内容を全ページ蓄積終了を待たずに発信する機能である。
【０００４】
従来、複数回線を収容可能であり、クイックメモリ送信の相手先がすでに別の送信で発呼中ならば発呼しても相手は話中であるため、通常のメモリ送信に切り替えることにより、発呼中の相手先を管理する機能を備えた通信装置（例えば、特許文献１参照）があった。
【特許文献１】特開平９−９０３０号公報
【発明の開示】
【発明が解決しようとする課題】
【０００５】
しかしながら、従来の通信装置のクイックメモリ送信機能を用いた場合、相手先へ発呼したが接続できない場合以外に、通信装置が別の動作を実行中であるために、クイックメモリ送信機能の動作できない場合もある。
【０００６】
すなわち、従来はクイックメモリ送信を実行しようとした時、送信との多重動作ができない場合（例えば、別のメモリ送信が動作していた場合や受信動作をしていた場合などがある）、原稿の画像データの蓄積だけを実行して、全ページの画像データの蓄積後に実行中の動作の終了を待ってから、相手先への送信を行なっていた。
【０００７】
そのため、他の実行中の動作がすぐに終了したにも関わらず、送信原稿の全画像データの蓄積の終了を待ってから発呼することになり、大変効率が悪いという問題があった。
【０００８】
この発明は上記の点に鑑みてなされたものであり、読み取り原稿をメモリに蓄積中でも通信装置の資源状態をチェックし、必要な資源が空いた時点で発呼を試みて効率的なクイックメモリ送信を行なえるようにすることを目的とする。
【０００９】
また、従来のクイックメモリ送信は、読み取った原稿の画像データをメモリ蓄積している途中でメモリ残量が不足し、メモリに入りきらなくなった時点でまず画像データの蓄積処理を中断し、次に送信も中断し、レポートまたは表示による出力によってオペレータに全ページがメモリに入りきらなかったことを通知していた。しかし、折角読み取ったにも関わらず、相手先への送信も中断してしまうため、効率が悪いという欠点があった。
【００１０】
そこでこの発明は、原稿読み取り中にメモリの残量をチェックし、その残量が一定量以下になった時点で原稿の蓄積を停止し、メモリに蓄積されたページまでを送信できるようにすることも目的とする。
【００１１】
さらに、メモリに蓄積できた送信原稿のページまでを無条件に送信するようにすると、オペレータがエラーとなった時点で送信を中断したくてもできなくなることになり、使い勝手が悪くなるという問題が発生する。
【００１２】
そこでこの発明は、メモリ残量が一定以下になった時点で送信を続けるか停止するかを任意に選択可能にし、ユーザの意志を反映させることを容易にし、通信装置の使い勝手を向上させることも目的とする。
【課題を解決するための手段】
【００１３】
この発明は上記の目的を達成するため、蓄積手段に画像データの蓄積が完了する前から上記蓄積手段に蓄積されている画像データを相手先装置に送信するクイックメモリ機能を備えた通信装置において、上記送信と多重動作できない自装置資源の動作状態を監視する監視手段と、上記監視手段によって上記自装置資源の動作状態が終了したと判断した場合に、上記クイックメモリ機能における送信動作を開始させる送信開始手段を設けた通信装置を提供する。
【００１４】
また、上記のような通信装置において、上記蓄積手段の蓄積残量が所定量以下であるか否かを判断する残量判断手段と、上記残量判断手段によって上記蓄積手段の蓄積残量が所定量以下になっていると判断した場合には、上記クイックメモリ機能における蓄積動作を中止させると共に、上記蓄積手段に既に蓄積されている画像データの送信は継続させる送信継続手段を設けたものである。
【００１５】
さらに、上記のような通信装置において、上記蓄積手段の蓄積残量が所定量以下であるか否かを判断する残量判断手段と、上記残量判断手段によって上記蓄積手段の蓄積残量が所定量以下になっていると判断した場合には、上記クイックメモリ機能における蓄積動作を中止させると共に、上記蓄積手段に既に蓄積されている画像データの送信を継続させるか否かを利用者に選択させる選択手段を設けたものである。
【発明の効果】
【００１６】
この発明の通信装置によれば、読み取り原稿をメモリに蓄積中でも通信装置の資源状態をチェックし、必要な資源が空いた時点で発呼を試みて効率的なクイックメモリ送信を行なうことができる。
【００１７】
また、原稿読み取り中にメモリの残量をチェックし、その残量が一定量以下になった時点で原稿の蓄積を停止し、メモリに蓄積されたページまでを送信することができる。
【００１８】
さらに、メモリ残量が一定以下になった時点で送信を続けるか停止するかを任意に選択可能にし、ユーザの意志を反映させることを容易にし、通信装置の使い勝手を向上させることができる。
【発明を実施するための最良の形態】
【００１９】
以下、この発明を実施するための最良の形態を図面に基づいて具体的に説明する。
図１は、この発明の通信装置の一実施形態のファクシミリ装置の構成を示すブロック図である。
【００２０】
このファクシミリ装置は、送受信原稿の画像データの圧縮及び伸張を行なう画情報圧縮再生装置（ＤＣＲ）１と、送受信原稿の画像データを格納する画情報メモリ２と、システム管理データを格納するシステムメモリ３と、ファクシミリ送受信時の各種の操作情報を表示する液晶表示部を有し、各種の操作情報を入力するキーボード等の操作部を備えた操作部表示部４を備えている。
【００２１】
また、ＣＰＵ，ＲＯＭ，及びＲＡＭ等のマイクロコンピュータによって実現され、この発明に関わる各種の制御処理と共にシステム全体を制御するシステム制御部５と、データ転送用メモリであるラインバッファ６と、送信源の画像データ（画像情報）読み取り装置であるスキャナ等の画像読取部７と、原稿幅センサを備えた原稿自動搬送装置ＡＤＦ７ａも備えている。
【００２２】
さらに、送受信画像データを記録紙データとして記録紙に印字するレーザプリンタ等の記録・印字部８と、記録紙をセットする給紙ユニット８ａと、時計機能を有するリアルタイムクロック（ＲＴＣ）９を備えている。
【００２３】
さらにまた、ＩＳＤＮ，ＰＳＴＮ等の公衆回線網を介したファクシミリ送受信時の通信制御を司る通信制御装置（ＣＣＵ）１０と、公衆回線網と接続し、ファクシミリ送受信時の画像データ等の変調と復調を行なう変調／復調装置と各種トーンの出力及び検出を行なうモデム１０ａと、公衆回線網の網制御装置（ＮＣＵ）１１を備えている。上記各部はバス１２で互いにデータのやり取りを可能に接続されている。
【００２４】
すなわち、このファクシミリ装置は、上記画像読取部７とＡＤＦ７ａが、原稿の画像を読み取る画像読取手段の機能を果たす。上記画情報メモリ２が、画像読取手段によって読み取った画像データを蓄積する画像データ蓄積手段の機能を果たす。
【００２５】
また、上記システム制御部５，システムメモリ３，ＣＣＵ１０，モデム１０ａ，及びＮＣＵ１１等が、送信相手先を呼び出す送信相手先呼出手段と、画像データ蓄積手段に対して画像データを蓄積中に相手先呼出手段に送信相手先を呼び出すように制御する画像データ蓄積中送信相手先呼出制御手段と、相手先呼出手段によって呼び出した送信相手先へ画像データ蓄積手段に蓄積された画像データを順次送信する画像データ送信手段の機能をそれぞれ果たす。
【００２６】
さらに、上記システム制御部５，システムメモリ３，及びＲＴＣ９等は、相手先呼出手段によって送信相手先との呼を確立できなかったとき、又はその呼が通信エラーで切断されたとき、画像データ蓄積手段への蓄積中の動作状況に関わらずに相手先呼出手段に対して送信相手先の再呼び出しを開始するように制御する再呼出制御手段の機能を果たす。
【００２７】
また、上記システム制御部５，システムメモリ３，ＲＴＣ９，ＣＣＵ１０，モデム１０ａ，及びＮＣＵ１１等が、相手先呼出手段の動作状態を監視する動作状態監視手段と、画像データ蓄積中送信相手先呼出制御手段による制御時、動作状態監視手段によって相手先呼出手段が既に他の相手先の呼び出しで動作中のとき、画像データ蓄積中送信相手先呼出制御手段の制御を中止し、画像データ蓄積手段への画像データの蓄積を続行し、相手先呼出手段の動作終了と共に、画像データ蓄積中送信相手先呼出制御手段の制御を再開するように制御する画像データ蓄積中送信相手先呼出制御再開制御手段の機能を果たす。
【００２８】
さらに、上記システム制御部５，システムメモリ３，ＲＴＣ９，ＣＣＵ１０，モデム１０ａ，及びＮＣＵ１１等が、相手先呼出手段によって呼び出した送信相手先へ画像データの送信が可能か否かを判断する画像データ送信可否判断手段と、画像データ送信可否判断手段によって画像データの送信が不可能であると判断されたとき、画像読み取り手段による画像データの読み取りと画像データ送信手段による画像データの送信と再呼出制御手段による制御とを中止するように制御する画像データ読取・送信・再呼び出し中止制御手段の機能をそれぞれ果たす。
【００２９】
また、上記システム制御部５，システムメモリ３，ＲＴＣ９，ＣＣＵ１０，モデム１０ａ，及びＮＣＵ１１等が、画像データ蓄積手段への画像データの蓄積中に記憶容量の残量が予め設定した閾値以下になったとき、画像読み取り手段に対して画像データの読み取りを中止させ、画像データ送信手段に対して画像データ蓄積手段に蓄積された画像データの送信を継続するように制御する画像データ読み取り中止・送信継続制御手段の機能を果たす。
【００３０】
さらに、上記システム制御部５，システムメモリ３，操作部表示部４，ＲＴＣ９，ＣＣＵ１０，モデム１０ａ，及びＮＣＵ１１等が、画像データ蓄積手段への画像データの蓄積中に記憶容量の残量が予め設定した閾値以下になったとき、画像読み取り手段に対して画像データの読み取りを中止するように制御する画像データ読み取り中止制御手段と、画像データ読み取り中止制御手段によって画像データの読み取りを中止させたとき、送信の中止と継続とのいずれかを選択させる画像データ送信中止・継続選択手段と、画像データ送信中止・継続選択手段によって中止が選択されたとき、画像データ送信手段による画像データの送信を直ちに中止し、継続が選択されたとき、画像データ送信手段に対して画像データ蓄積手段に蓄積された画像データの送信を継続するように制御する画像データ送信中止・継続制御手段の機能をそれぞれ果たす。
【００３１】
次に、このファクシミリ装置におけるクイックメモリ送信処理について説明する。
図２乃至図４は、このファクシミリ装置におけるクイックメモリ送信処理を示すフローチャートである。
【００３２】
このクイックメモリ送信処理は、システム制御部５が、ステップ（図中「Ｓ」で示す）１で原稿がＡＤＦにセットされ、操作部表示部から相手先電話番号が入力されると（相手先電話番号はシステムメモリ３に一時的に記憶される）、ステップ２へ進んで操作部表示部のスタートキーが押下されたか否かを判断する。
【００３３】
ステップ２の判断でスタートキーが押下されたと判断したら、ステップ３〜６の画像蓄積処理と図３及び図４のステップ７〜１９の送信処理を同時に動作させる。
【００３４】
まず、画像蓄積処理は、ステップ３へ進んで原稿読取ユニットが使用可能か否かを判断し、使用可能と判断したら、ステップ４へ進んでＡＤＦにセットされた原稿の画像を読み取り、ステップ５へ進んでその読み取った原稿の画像データを圧縮して画情報メモリに蓄積し、ステップ６へ進んで次の原稿有りか否かを判断し、原稿有りと判断したら、ステップ４〜６の処理を繰り返し、原稿無しと判断したら、この画像蓄積処理を終了する。
【００３５】
一方、送信処理は、図３のステップ７へ進んで通信ユニットが使用可能か否かを判断し、使用可能と判断したら、ステップ８へ進んで上記相手先電話番号を読み出し、その相手先電話番号に発呼して相手先と呼を接続する。
【００３６】
ステップ９へ進んで正常に接続されたか否かを判断して、正常に接続されなかったと判断したら図４のステップ１５へ進み、正常に接続されたと判断したら、ステップ１０へ進んで画情報メモリに蓄積された画情報（送信原稿の画像データ）を読み出し、画情報メモリに対する画像データの書き込みの位置を確認しながら次に読み取った画像データを書き込み、ステップ１１へ進んで書き込み位置を追い越していないか否かを判断する。
【００３７】
ステップ１１の判断で画像メモリへの書き込み位置を追い越していればステップ１０へ戻ってその書き込み処理をやり直し、書き込み位置を追い越していなければ、ステップ１２へ進んで画情報メモリ２から読み出した画情報（送信原稿の画像データ）を相手先にファクシミリ送信する。
【００３８】
ステップ１３へ進んで画情報メモリに次の送信画情報が存在するか否かを判断し、存在すればステップ１０〜１３の処理を繰り返し、存在しないなら、ステップ１４へ進んで次の送信ページ有りか否かを判断し、有ればステップ１０〜１４の処理を繰り返し、無ければ図４のステップ１５へ進む。
【００３９】
図４のステップ１５では接続結果又は送信結果を判定し、ステップ１６へ進んで次の同報宛先が有るか否か、または再発呼可能宛先が有るか否かを判断し、次の同報宛先又は再発呼可能宛先が有ると判断したら、ステップ１７へ進んでＲＴＣの時間に基づいて予め設定された次発呼可能時間が経過したか否かを判断し、経過したらステップ７の処理へ戻り、同報宛先又は再発呼可能宛先への送信処理を実行する。
【００４０】
ステップ１６の判断で次の同報宛先及び再発呼可能宛先が無ければ、ステップ１８へ進んで操作部表示部又は記録・印字部に送信結果レポートを出力し、ステップ１９へ進んで画情報メモリに蓄積された送信済みの画情報を消去して、この処理を終了する。
【００４１】
次に、このクイックメモリ送信機能におけるオペレータの操作手順とファクシミリ装置の処理について説明する。
オペレータのクイックメモリ送信のための操作は、ＡＤＦ７ａに送信原稿をセットし、操作部表示部４で送信先の相手先電話番号を入力する。
【００４２】
ファクシミリ装置のシステム制御部５は、操作部表示部４から入力された相手先電話番号の情報をシステムメモリ３に記憶する。
全ての操作が終了し、操作部表示部４のスタートボタンが押下されると、操作部表示部４からシステム制御部５にクイックメモリ送信の実行を要求する。
そして、システム制御部５は、クイックメモリ送信の実行に必要なユニット資源が使用可能か否かのチェックを行なう。
【００４３】
まず、画像読取部７のユニット資源の状態をチェックし、画像読取部７が使用可能ならば、ＡＤＦ７ａにセットされた原稿を画像読取部７で読み取り、ラインバッファ６に１ライン単位で転送する。
ラインバッファ６のデータは、ＤＣＲ１で圧縮されて画情報メモリ２に順次蓄積される。この蓄積動作をＡＤＦ７ａにセットされた送信原稿の全てのページに対して実行する。
【００４４】
次に、上記蓄積動作と共に起動させた送信動作について説明する。
システム制御部５は、ＣＣＵ１０のユニット資源の状態をチェックし、ＣＣＵ１０が使用可能ならば、操作部表示部４から入力されてシステムメモリ３に記憶された相手先電話番号の情報を読み出し、ＮＣＵ１１でその相手先電話番号へ発呼する。
【００４５】
そして、その相手先と接続されたならば、画情報メモリ２に蓄積された画像データを読み出し、ＣＣＵ１０を通してモデム１０ａで変調させて相手先にファクシミリ送信する。
【００４６】
この時、システム制御部５は、画情報メモリ２に対して送信する方が蓄積する方を追い越さないように制御する。その制御方法は、画情報メモリ２の書き込み位置と読み出し位置をそれぞれ記憶し、読み出しが書き込みに追いついたならば、読み出し（送信）を待たせるように制御する。
【００４７】
また、画情報メモリ２にはメモリ受信した画像データ（画情報）や別のメモリ送信の画像データ（画情報）も混在しているので、システム制御部５は画像読取部７とＣＣＵ１０に対して画情報メモリ２の使用するメモリ領域の識別子を渡して書き込み側と読み出し側が同じメモリ領域をアクセスするように制御する。
【００４８】
もし、送信側に何らかのエラー（例えば、相手先が話中であったり、通信エラーが発生した場合などのように呼が確立できないエラーや、呼が切断される通信エラー）が発生した場合、ＣＣＵ１０が送信の結果をシステム制御部５に通知する。
【００４９】
システム制御部５は、同報送信で次の宛先があれば次の相手先で発呼時間（次発呼可能時間）を空けて送信開始を待つ、また、宛先が１宛先ならば再度同じ相手先で発呼時間（次発呼可能時間）を空けて送信開始を待つ。この発呼間隔の時間はＲＴＣ９で計測される。
【００５０】
そして、発呼間隔が経過した時点で原稿蓄積動作状況に関わらず、再度相手先への発呼動作を行なう。（なお、従来は蓄積動作が終了するまで再発呼は行わないようにしていた）
【００５１】
このようにして、送信にエラーがあった場合でも、一定時間を経過すると自動的に再発呼を行なうことにより、画像蓄積終了まで発呼待ちをして時間を無駄に消費してしまうことを防止し、ファクシミリ送信までの待ち時間を少なくすることができ、利用者にとって使い勝手の良いクイックメモリ送信が可能になる。
【００５２】
次に、このファクシミリ装置における他のクイックメモリ送信機能について説明する。
上記クイックメモリ送信機能では、発呼動作を行なったが正常に通信できない場合の処理だったが、ここでは動作に必要な資源が使えなかった場合の処理を示している。ここでは、ＣＣＵ１０が別の動作で使用中のため、クイックメモリ送信の送信動作ができない場合を例にして説明する。
【００５３】
システム制御部５は、上記クイックメモリ送信処理と同様にして、クイックメモリ送信実行に必要なためにユニット資源のチェックを行なう。
【００５４】
まず、画像読取部７のユニット資源の状態をチェックする。その画像読取部７が使用中またはエラー（例えば、原稿台に発生したジャムによるエラーや、原稿台のカバーが開いたままの状態であるなどの使用中）ならば、そのままではクイックメモリ送信自体ができないので、操作部表示部４に画像読取部７が使用できないことを表示する。この場合は、クイックメモリ送信操作自体が出来ないため、問題とはならない。
【００５５】
次に、システム制御部５は、ＣＣＵ１０のユニット資源の状態をチェックする。ＣＣＵ１０は、別のメモリ送信が動作していたり、受信が動作していた場合には、使用することは出来ない。
【００５６】
そこで、このような状態の時、システム制御部５は、ＣＣＵ１０に対して定期的（例えば、５秒間隔等の所定時間）に状態を問い合わせる。もし、ＣＣＵ１０から使用中が通知されたら、そのまま画像データの蓄積動作だけを続行させる。
【００５７】
一方、空きが通知されたら、原稿蓄積動作に関わらずに相手先への発呼動作を行なう。（なお、従来は一度使用中が通知されると、画像データの蓄積が終了するまで発呼動作には入らなかった）
【００５８】
このようにして、必要資源は使用中であっても、定期的に資源の状態をチェックすることにより、送信原稿の画像データの蓄積終了の待ち時間が無くなり、使い勝手の良いクイックメモリ送信が可能になる。
【００５９】
次に、このファクシミリ装置におけるまた他のクイックメモリ送信処理について説明する。
【００６０】
上述したクイックメモリ送信処理では、相手先につながらなかったときには、画像蓄積中の動作状況に関わらずに常に再発呼動作を行なっており、正常にファクシミリ送信できない場合、規定回数再発呼を繰り返している。
【００６１】
しかし、送信の結果によって再発呼が無駄だと判断した場合や原稿枚数が多く全ての原稿を蓄積終了する前に規定回数再発呼を行なってしまった場合、再発呼をしない状態として、呼び出した相手先が電話機であり、ファクシミリ装置ではなかった場合や規定回数再発呼を試みたが正常に送信できなかった場合がある。
【００６２】
このような場合には、そのまま送信動作を実行しても無駄になってしまう。
そこで、上記のような場合には、画像読み取り，送信，及び再発呼を中止すると良い。次に、呼び出した相手先がファクシミリ装置でなかった場合の制御処理例を説明する。
【００６３】
図５乃至図７は、このファクシミリ装置におけるまた他のクイックメモリ送信処理を示すフローチャートである。
【００６４】
このクイックメモリ送信処理は、システム制御部５が、ステップ（図中「Ｓ」で示す）２１で原稿がＡＤＦにセットされ、操作部表示部から相手先電話番号が入力されると（相手先電話番号はシステムメモリ３に一時的に記憶される）、ステップ２２へ進んで操作部表示部のスタートキーが押下されたか否かを判断する。
【００６５】
ステップ２２の判断でスタートキーが押下されたと判断したら、ステップ２３〜２７の画像蓄積処理と図６及び図７のステップ２８〜４２の送信処理を同時に動作させる。
【００６６】
まず、画像蓄積処理は、ステップ２３へ進んで原稿読取ユニットが使用可能か否かを判断し、使用可能と判断したら、ステップ２４へ進んでＡＤＦにセットされた原稿の画像を読み取り、ステップ２５へ進んで読み取り中断要求が有ったか否かを判断し、有ればそのまま処理を終了するが、無ければステップ２６へ進む。
【００６７】
ステップ２６ではその読み取った原稿の画像データを圧縮して画情報メモリに蓄積し、ステップ２７へ進んで次の原稿有りか否かを判断し、原稿有りと判断したら、ステップ２４〜２７の処理を繰り返し、原稿無しと判断したら、この画像蓄積処理を終了する。
【００６８】
一方、送信処理は、図６のステップ２８へ進んで通信ユニットが使用可能か否かを判断し、使用可能と判断したら、ステップ２９へ進んで上記相手先電話番号を読み出し、その相手先電話番号に発呼して相手先と呼を接続する。
【００６９】
ステップ３０へ進んで正常に接続されたか否かを判断して、正常に接続されなかったと判断したら図７のステップ３６へ進み、正常に接続されたと判断したら、ステップ３１へ進んで画情報メモリに蓄積された画情報（送信原稿の画像データ）を読み出し、画情報メモリに対する画像データの書き込みの位置を確認しながら次に読み取った画像データを書き込み、ステップ３２へ進んで書き込み位置を追い越していないか否かを判断する。
【００７０】
ステップ３２の判断で画像メモリへの書き込み位置を追い越していればステップ３１へ戻って再び書き込み処理をやり直し、書き込み位置を追い越してなければ、ステップ３３へ進んで画情報メモリ２から読み出した画情報（送信原稿の画像データ）を相手先にファクシミリ送信する。
【００７１】
ステップ３４へ進んで画情報メモリに次の送信画情報が存在するか否かを判断し、存在すればステップ３１〜３４の処理を繰り返し、存在しないなら、ステップ３５へ進んで次の送信ページ有りか否かを判断し、有ればステップ３１〜３５の処理を繰り返し、無ければ図７のステップ３６へ進む。
【００７２】
図７のステップ３６では接続結果又は送信結果を判定し、ステップ３７へ進んで次の同報宛先が有るか否か、または再発呼可能宛先が有るか否かを判断し、次の同報宛先又は再発呼可能宛先が有ると判断したら、ステップ３８へ進んでＲＴＣの時間に基づいて予め設定された次発呼可能時間が経過したか否かを判断し、経過したらステップ２８の処理へ戻り、同報宛先又は再発呼可能宛先への送信処理を実行する。
【００７３】
ステップ３７の判断で次の同報宛先及び再発呼可能宛先が無ければ、ステップ３９へ進んで蓄積処理が動作中か否かを判断し、動作中でなければステップ４１へ進んで操作部表示部又は記録・印字部に送信結果レポートを出力し、ステップ４２へ進んで画情報メモリに蓄積された送信済みの画情報を消去して、この処理を終了する。
【００７４】
ステップ３９の判断で蓄積処理が動作中なら、ステップ４０へ進んで蓄積動作に中断要求を発行して中止させ、ステップ４１へ進んで操作部表示部又は記録・印字部に送信結果レポートを出力し、ステップ４２へ進んで画情報メモリに蓄積された送信済みの画情報を消去して、この処理を終了する。
【００７５】
次に、このクイックメモリ送信機能におけるオペレータの操作手順とファクシミリ装置の処理について説明する。
【００７６】
オペレータのクイックメモリ送信のための操作は、ＡＤＦ７ａに送信原稿をセットし、操作部表示部４で送信先の相手先電話番号を入力する。
【００７７】
ファクシミリ装置のシステム制御部５は、操作部表示部４から入力された相手先電話番号の情報をシステムメモリ３に記憶する。
全ての操作が終了し、操作部表示部４のスタートボタンが押下されると、操作部表示部４からシステム制御部５にクイックメモリ送信の実行を要求する。
そして、システム制御部５は、クイックメモリ送信の実行に必要なユニット資源が使用可能か否かのチェックを行なう。
【００７８】
まず、画像読取部７のユニット資源の状態をチェックし、画像読取部７が使用可能ならば、ＡＤＦ７ａにセットされた原稿を画像読取部７で読み取り、ラインバッファ６に１ライン単位で転送する。
ラインバッファ６のデータは、ＤＣＲ１で圧縮されて画情報メモリ２に順次蓄積される。この蓄積動作をＡＤＦ７ａにセットされた送信原稿の全てのページに対して実行する。
【００７９】
次に、上記蓄積動作と共に起動させた送信動作について説明する。
システム制御部５は、ＣＣＵ１０のユニット資源の状態をチェックし、ＣＣＵ１０が使用可能ならば、操作部表示部４から入力されてシステムメモリ３に記憶された相手先電話番号の情報を読み出し、ＮＣＵ１１でその相手先電話番号へ発呼する。
【００８０】
すなわち、システム制御部５は、相手先への発呼のために相手先電話番号をシステムメモリ３から呼び出して発呼する。その相手先電話番号の送出後に回線の極性反転の検出をＮＣＵ１１で行なう。そして、極性反転があれば相手機が応答した、すなわち、相手先の受話器がとられたものと判断する。
【００８１】
次にトーンの検出を行なう。そのトーン検出はモデム１０ａで行なう。公衆回線網からＣＥＤ信号を検出したら相手先がファクシミリ装置と判断し、ファクシミリ送信の制御手順を進める。
【００８２】
一方、公衆回線網から話中音（ビジートーン）を検出したら、相手先が電話機であり、相手先のオペレータがその受話器を取って再び受話器を戻した可能性があるので、再発呼しても繋がらない可能性がある。この場合、通常のファクシミリ装置では、２回電話機だったと判断した時点で再発呼を停止する機能がある。
【００８３】
このような状況になったなら、システム制御部５は、画像読み取り部７に対して読み取り動作の中止を出し、画像読取部７は中止命令を受けたら、送信原稿の画像読み取り動作を中止し、ＣＣＵ１０に対して画像データの送信動作の中止を出し、ＣＣＵ１０は中止命令を受けたら、送信動作を中止する。
【００８４】
さらに、相手先への再発呼の制御を中止して、オペレータがなぜ中止されたのかが分からないので、操作部表示部４の表示部又は記録・印字部８に送信結果レポートを出力して通知する。
【００８５】
また、その相手先と接続されたならば、画情報メモリ２に蓄積された画像データを読み出し、ＣＣＵ１０を通してモデム１０ａで変調させて相手先にファクシミリ送信する。
【００８６】
この時、システム制御部５は、画情報メモリ２に対して送信する方が蓄積する方を追い越さないように制御する。その制御方法は、画情報メモリ２の書き込み位置と読み出し位置をそれぞれ記憶し、読み出しが書き込みに追いついたならば、読み出し（送信）を待たせるように制御する。
【００８７】
また、画情報メモリ２にはメモリ受信した画像データ（画情報）や別のメモリ送信の画像データ（画情報）も混在しているので、システム制御部５は画像読取部７とＣＣＵ１０に対して画情報メモリ２の使用するメモリ領域の識別子を渡して書き込み側と読み出し側が同じメモリ領域をアクセスするように制御する。
【００８８】
このようにして、原稿蓄積中の再発呼しても無駄だと判断した場合、蓄積動作，送信動作，及び再発呼動作を自動的に終了させることにより、蓄積終了の待ち時間が無くなり、使い勝手の良いクイックメモリ送信が可能になる。
【００８９】
次に、このファクシミリ装置におけるさらに他のクイックメモリ送信処理について説明する。
図８乃至図１０は、このファクシミリ装置におけるさらに他のクイックメモリ送信処理を示すフローチャートである。
【００９０】
このクイックメモリ送信処理は、システム制御部５が、ステップ（図中「Ｓ」で示す）５１で原稿がＡＤＦにセットされ、操作部表示部から相手先電話番号が入力されると（相手先電話番号はシステムメモリ３に一時的に記憶）、ステップ５２へ進んで操作部表示部のスタートキーが押下されたか否かを判断する。
【００９１】
ステップ５２の判断でスタートキーが押下されたと判断したら、ステップ５３〜５７の画像蓄積処理と図９及び図１０のステップ５８〜７０の送信処理を同時に動作させる。
【００９２】
まず、画像蓄積処理は、ステップ５３へ進んで原稿読取ユニットが使用可能か否かを判断し、使用可能と判断したら、ステップ５４へ進んでＡＤＦにセットされた原稿の画像を読み取り、ステップ５５へ進んで原稿から読み取った画像データを圧縮して画情報メモリに蓄積する。
【００９３】
ステップ５６へ進んで画情報メモリの記憶容量の残量が予め設定された閾値以下になり、その閾値の記憶量をオーバーするか否かを判断し、オーバーするなら、原稿の画像読み取りを中止して、画像蓄積処理を終了するが、無ければステップ５７へ進んで次の原稿有りか否かを判断し、原稿有りと判断したら、ステップ５４〜５７の処理を繰り返し、原稿無しと判断したら、この画像蓄積処理を終了する。
【００９４】
一方、送信処理は、図９のステップ５８へ進んで通信ユニットが使用可能か否かを判断し、使用可能と判断したら、ステップ５９へ進んで上記相手先電話番号を読み出し、その相手先電話番号に発呼して相手先と呼を接続する。
【００９５】
ステップ６０へ進んで正常に接続されたか否かを判断して、正常に接続されなかったと判断したら図１０のステップ６６へ進み、正常に接続されたと判断したら、ステップ６１へ進んで画情報メモリに蓄積された画情報（送信原稿の画像データ）を読み出し、画情報メモリに対する画像データの書き込みの位置を確認しながら次に読み取った画像データを書き込み、ステップ６２へ進んで書き込み位置を追い越していないか否かを判断する。
【００９６】
ステップ６２の判断で画像メモリへの書き込み位置を追い越していればステップ６１へ戻って再び書き込み処理をやり直し、書き込み位置を追い越してなければ、ステップ６３へ進んで画情報メモリ２から読み出した画情報（送信原稿の画像データ）を相手先にファクシミリ送信する。
【００９７】
ステップ６４へ進んで画情報メモリに次の送信画情報が存在するか否かを判断し、存在すればステップ６１〜６４の処理を繰り返し、存在しないなら、ステップ６５へ進んで次の送信ページ有りか否かを判断し、有ればステップ６１〜６５の処理を繰り返し、無ければ図１０のステップ６６へ進む。
【００９８】
図１０のステップ６６では接続結果又は送信結果を判定し、ステップ６７へ進んで次の同報宛先が有るか否か、または再発呼可能宛先が有るか否かを判断し、次の同報宛先又は再発呼可能宛先が有ると判断したら、ステップ６８へ進んでＲＴＣの時間に基づいて予め設定された次発呼可能時間が経過したか否かを判断し、経過したらステップ５８の処理へ戻り、同報宛先又は再発呼可能宛先への送信処理を実行する。
【００９９】
ステップ６７の判断で次の同報宛先及び再発呼可能宛先が無ければ、ステップ６９へ進んで操作部表示部又は記録・印字部８に送信結果レポートを出力し、ステップ７０へ進んで画情報メモリに蓄積された送信済みの画情報を消去して、この送信処理を終了する。
【０１００】
こうして、この送信処理では、画像蓄積動作が中止された時点までに画情報メモリ２に蓄積された画像データを相手先へファクシミリ送信し、相手先との呼を切断する。
【０１０１】
次に、このクイックメモリ送信機能におけるオペレータの操作手順とファクシミリ装置の処理について説明する。
オペレータのクイックメモリ送信のための操作は、ＡＤＦ７ａに送信原稿をセットし、操作部表示部４で送信先の相手先電話番号を入力する。
【０１０２】
ファクシミリ装置のシステム制御部５は、操作部表示部４から入力された相手先電話番号の情報をシステムメモリ３に記憶する。
全ての操作が終了し、操作部表示部４のスタートボタンが押下されると、操作部表示部４からシステム制御部５にクイックメモリ送信の実行を要求する。
そして、システム制御部５は、クイックメモリ送信の実行に必要なユニット資源が使用可能か否かのチェックを行なう。
【０１０３】
まず、画像読取部７のユニット資源の状態をチェックし、画像読み取り部７が使用可能ならば、ＡＤＦ７ａにセットされた原稿を画像読取部７で読み取り、ラインバッファ６に１ライン単位で転送する。
ラインバッファ６のデータは、ＤＣＲ１で圧縮されて画情報メモリ２に順次蓄積される。この蓄積動作をＡＤＦ７ａにセットされた送信原稿の全てのページに対して実行する。
【０１０４】
また、システム制御部５は、画情報メモリ２へのアクセスを行なう動作が実行している間、画情報メモリ２の残量を定期的にチェックする。
もし、画情報メモリ２の残量が一定量（予め設定した閾値）以下になったならば、画像読取部７に対して読み取りの中止司令を出す。
画像読取部７は、その中止指令を受けると原稿の読み取りを終了させる。
【０１０５】
この時、システム制御部５は、ＣＣＵ１０にはファクシミリ送信を中止することなく、画情報メモリ２に蓄積された全てのページの画像データのファクシミリ送信を続行する。（なお、従来のファクシミリ装置では、メモリ残量“０”の時点でファクシミリ送信も中断していた）
【０１０６】
そして、画情報メモリ２に蓄積された全てのページが送信終了した時点で、ＣＣＵ１０はシステム制御部５に送信が終了したことを通知する。
システム制御部５は、操作部表示部４の表示部又は記録・印字部８に対して送信結果と送信ページ数と共に、更に画情報メモリ２が溢れたことを注意書きにした送信結果レポートを出力して、オペレータに相手先へは送信原稿の全ページの送信が完了していないことを通知する。
【０１０７】
このようにして、画情報メモリがオーバーしても、それまで蓄積できたページまでを相手先へファクシミリ送信することにより、再度同一ページを蓄積して送信する必要が無くなり、勝手の良いクイックメモリ送信が可能になる。
【０１０８】
次に、上記蓄積動作と共に起動させた送信動作について説明する。
システム制御部５は、ＣＣＵ１０のユニット資源の状態をチェックし、ＣＣＵ１０が使用可能ならば、操作部表示部４から入力されてシステムメモリ３に記憶された相手先電話番号の情報を読み出し、ＮＣＵ１１でその相手先電話番号へ発呼する。
【０１０９】
そして、その相手先と接続されたならば、画情報メモリ２に蓄積された画像データを読み出し、ＣＣＵ１０を通してモデム１０ａで変調させて相手先にファクシミリ送信する。
【０１１０】
この時、システム制御部５は、画情報メモリ２に対して送信する方が蓄積する方を追い越さないように制御する。その制御方法は、画情報メモリ２の書き込み位置と読み出し位置をそれぞれ記憶し、読み出しが書き込みに追いついたならば、読み出し（送信）を待たせるように制御する。
【０１１１】
また、画情報メモリ２にはメモリ受信した画像データ（画情報）や別のメモリ送信の画像データ（画情報）も混在しているので、システム制御部５は画像読取部７とＣＣＵ１０に対して画情報メモリ２の使用するメモリ領域の識別子を渡して書き込み側と読み出し側が同じメモリ領域をアクセスするように制御する。
【０１１２】
もし、送信側に何らかのエラー（例えば、相手先が話中であったり、通信エラーが発生した場合などのように呼が確立できないエラーや、呼が切断される通信エラー）が発生した場合、ＣＣＵ１０が送信の結果をシステム制御部５に通知する。
【０１１３】
システム制御部５は、同報送信で次の宛先があれば次の相手先で発呼時間（次発呼可能時間）を空けて送信開始を待つ、また、宛先が１宛先ならば再度同じ相手先で発呼時間（次発呼可能時間）を空けて送信開始を待つ。この発呼間隔の時間はＲＴＣ９で計測される。
【０１１４】
その後、発呼間隔が経過した時点で原稿蓄積動作状況に関わらず、再度相手先への発呼動作を行なう。
そして、画像蓄積動作が中止したときは、それまでに画情報メモリ２に蓄積された画像データをファクシミリ送信した後、相手先との呼を切断する。
【０１１５】
また、上記クイックメモリ送信処理における再発呼中止の処理を行なうようにしてもよい。
その場合、システム制御部５は、相手先への発呼のために相手先電話番号をシステムメモリ３から呼び出して発呼する。その相手先電話番号の送出後に回線の極性反転の検出をＮＣＵ１１で行なう。そして、極性反転があれば相手機が応答した、すなわち、相手先の受話器がとられたものと判断する。
【０１１６】
次にトーンの検出を行なう。そのトーン検出はモデム１０ａで行なう。公衆回線網からＣＥＤ信号を検出したら相手先がファクシミリ装置と判断し、ファクシミリ送信の制御手順を進める。
【０１１７】
一方、公衆回線網から話中音（ビジートーン）を検出したら、相手先が電話機であり、相手先のオペレータがその受話器を取って再び受話器を戻した可能性があるので、再発呼しても繋がらない可能性がある。
【０１１８】
このような状況になったなら、システム制御部５は、画像読取部７に対して読み取り動作の中止を出し、画像読取部７は中止命令を受けたら、送信原稿の画像読み取り動作を中止し、ＣＣＵ１０に対して画像データの送信動作の中止を出し、ＣＣＵ１０は中止命令を受けたら、送信動作を中止する。
【０１１９】
さらに、相手先への再発呼の制御を中止して、オペレータがなぜ中止されたのかが分からないので、操作部表示部４の表示部又は記録・印字部８に送信結果レポートを出力して通知する。
【０１２０】
また、その相手先と接続されたならば、画情報メモリ２に蓄積された画像データを読み出し、ＣＣＵ１０を通してモデム１０ａで変調させて相手先にファクシミリ送信する。
【０１２１】
この時、システム制御部５は、画情報メモリ２に対して送信する方が蓄積する方を追い越さないように制御する。その制御方法は、画情報メモリ２の書き込み位置と読み出し位置をそれぞれ記憶し、読み出しが書き込みに追いついたならば、読み出し（送信）を待たせるように制御する。
【０１２２】
また、画情報メモリ２にはメモリ受信した画像データ（画情報）や別のメモリ送信の画像データも混在しているので、システム制御部５は画像読取部７とＣＣＵ１０に対して画情報メモリ２の使用するメモリ領域の識別子を渡して書き込み側と読み出し側が同じメモリ領域をアクセスするように制御する。
【０１２３】
次に、このファクシミリ装置におけるさらにまた他のクイックメモリ送信処理について説明する。
上述のクイックメモリ送信処理では、画像蓄積動作中に画情報メモリの容量が所定値をオーバーしたときには、自動的に画像蓄積動作を中止し、それまでに蓄積された画像データのファクシミリ送信を完了させるようにしたが、ファクシミリ送信を直ちに中止したい場合も有る。
【０１２４】
このような場合、画像蓄積動作中に画情報メモリの容量が所定値をオーバーしたときには、オペレータがそれまでに蓄積された画像データのファクシミリ送信を完了させるか、直ちにファクシミリ送信を中止させるかを自由に選択できるようにすると便利である。
そこで、次にオペレータによるファクシミリ送信の中止又は継続を選択するときの処理について説明する。
【０１２５】
図１１乃至図１４は、このファクシミリ装置におけるさらにまた他のクイックメモリ送信処理を示すフローチャートである。
【０１２６】
このクイックメモリ送信処理は、システム制御部５が、ステップ（図中「Ｓ」で示す）８１で原稿がＡＤＦにセットされ、操作部表示部から相手先電話番号が入力されると（相手先電話番号はシステムメモリ３に一時的に記憶される）、ステップ８２へ進んで操作部表示部のスタートキーが押下されたか否かを判断する。
【０１２７】
ステップ８２の判断でスタートキーが押下されたと判断したら、図１１及び図１２のステップ８３〜９１の画像蓄積処理と図１３及び図１４のステップ９２〜１０５の送信処理を同時に動作させる。
【０１２８】
まず、画像蓄積処理は、ステップ８３へ進んで原稿読取ユニットが使用可能か否かを判断し、使用可能と判断したら、ステップ８４へ進んでＡＤＦにセットされた原稿の画像を読み取り、ステップ８５へ進んで原稿から読み取った画像データを圧縮して画情報メモリに蓄積する。
【０１２９】
ステップ８６へ進んで画情報メモリの記憶容量の残量が予め設定された閾値以下になり、その閾値の記憶量をオーバーするか否かを判断する。
ステップ８６の判断で画情報メモリのオーバーでなければ、ステップ８７へ進んで次の原稿の画像データが有るか否かを判断して、無ければ図１２のステップ８８へ進み、有ればステップ８４〜８７の処理を繰り返す。
【０１３０】
ステップ８６の判断でオーバーするなら、図１２のステップ８８へ進んでメモリのオーバーによる終了か否かを判断し、メモリオーバーによる終了ならステップ８９へ進んで操作部表示部の表示部にオペレータに対する送信を継続するか中断するかを問い合わせる表示を行なう。
【０１３１】
ステップ９０へ進んで操作部表示部の操作部から送信の中断を選択する入力があったか否かを判断し、無かったらこの処理を終了し、有ったらステップ９１へ進んで操作部表示部の表示部にファクシミリ送信を途中で中止したことを通知するメッセージを表示し、この画像蓄積処理を終了する。
また、相手先へファクシミリ送信を途中で中止したことを通知する画像データを同時に送信するようにしてもよい。
【０１３２】
一方、送信処理は、図１３のステップ９２へ進んで通信ユニットが使用可能か否かを判断し、使用可能と判断したら、ステップ９３へ進んで上記相手先電話番号を読み出し、その相手先電話番号に発呼して相手先と呼を接続する。
【０１３３】
ステップ９４へ進んで正常に接続されたか否かを判断して、正常に接続されなかったと判断したら図１４のステップ１０１へ進み、正常に接続されたと判断したら、ステップ９５へ進んで画情報メモリに蓄積された画情報（送信原稿の画像データ）を読み出し、画情報メモリに対する画像データの書き込みの位置を確認しながら次に読み取った画像データを書き込み、ステップ９６へ進んで書き込み位置を追い越していないか否かを判断する。
【０１３４】
ステップ９６の判断で画像メモリへの書き込み位置を追い越していればステップ９５へ戻って再び書き込み処理をやり直し、書き込み位置を追い越していなければ、ステップ９７へ進んで画情報メモリ２から読み出した画情報（送信原稿の画像データ）を相手先にファクシミリ送信する。
【０１３５】
ステップ９８へ進んで送信中断（送信中止）要求有りか否かを判断し、有りなら図１４のステップ１０４へ進み、無しなら図１４のステップ９９へ進んで画情報メモリに次の送信画情報が存在するか否かを判断し、存在すれば図１３及び図１４のステップ９５〜９９の処理を繰り返し、存在しないなら、ステップ１００へ進んで次の送信ページ有りか否かを判断し、有れば図１３及び図１４のステップ９５〜１００の処理を繰り返し、無ければ図１４のステップ１０１へ進む。
【０１３６】
図１４のステップ１０１では接続結果又は送信結果を判定し、ステップ１０２へ進んで次の同報宛先が有るか否か、または再発呼可能宛先が有るか否かを判断し、次の同報宛先又は再発呼可能宛先が有ると判断したら、ステップ１０３へ進んでＲＴＣの時間に基づいて予め設定された次発呼可能時間が経過したか否かを判断し、経過したら図１３のステップ９２の処理へ戻り、同報宛先又は再発呼可能宛先への送信処理を実行する。
【０１３７】
ステップ１０２の判断で次の同報宛先及び再発呼可能宛先が無ければ、ステップ１０４へ進んで操作部表示部又は記録・印字部８に送信結果レポートを出力し、ステップ１０５へ進んで画情報メモリに蓄積された送信済みの画情報を消去して、この送信処理を終了する。
【０１３８】
こうして、この送信処理では、画像蓄積動作が中止されたとき、オペレータによる選択操作に基づいて直ちにファクシミリ送信を中止するか、画情報メモリ２に蓄積された画像データを継続して相手先へファクシミリ送信するかの制御を切り替る。
【０１３９】
次に、このクイックメモリ送信機能におけるオペレータの操作手順とファクシミリ装置の処理について説明する。
オペレータのクイックメモリ送信のための操作は、ＡＤＦ７ａに送信原稿をセットし、操作部表示部４で送信先の相手先電話番号を入力する。
【０１４０】
ファクシミリ装置のシステム制御部５は、操作部表示部４から入力された相手先電話番号の情報をシステムメモリ３に記憶する。
全ての操作が終了し、操作部表示部４のスタートボタンが押下されると、操作部表示部４からシステム制御部５にクイックメモリ送信の実行を要求する。
そして、システム制御部５は、クイックメモリ送信の実行に必要なユニット資源が使用可能か否かのチェックを行なう。
【０１４１】
まず、画像読取部７のユニット資源の状態をチェックし、画像読取部７が使用可能ならば、ＡＤＦ７ａにセットされた原稿を画像読取部７で読み取り、ラインバッファ６に１ライン単位で転送する。
ラインバッファ６のデータは、ＤＣＲ１で圧縮されて画情報メモリ２に順次蓄積される。この蓄積動作をＡＤＦ７ａにセットされた送信原稿の全てのページに対して実行する。
【０１４２】
また、システム制御部５は、画情報メモリ２へのアクセスを行なう動作が実行している間、画情報メモリ２の残量を定期的にチェックする。
もし、画情報メモリ２の残量が一定量（予め設定した閾値）以下になったならば、画像読取部７に対して読み取りの中止司令を出す。
画像読取部７は、その中止指令を受けると原稿の読み取りを終了させる。
【０１４３】
この時、システム制御部５は、操作部表示部４の表示部に対して送信結果と送信ページ数と共に、画情報メモリ２が溢れたことを注意書きにした送信結果レポートを出力し、さらにオペレータに対する「すぐに送信を中断するか」「蓄積できたページまでの送信を続行（継続）するか」のいずれかを選択するように促すメッセージを表示する。
【０１４４】
そして、オペレータによって操作部表示部４の操作部から「すぐに送信を中断する」を指示する入力があったら、システム制御部５はＣＣＵ１０に対して中断指令を出してファクシミリ送信を直ちに中止させる。
【０１４５】
また、オペレータによって操作部表示部４の操作部から「蓄積できたページまでの送信を続行（継続）する」を指示する入力があったら、システム制御部５はＣＣＵ１０にはファクシミリ送信を中止することなく継続させ、ＣＣＵ１０は画情報メモリ２に蓄積された全てのページの画像データのファクシミリ送信を続行する。
【０１４６】
そして、画情報メモリ２に蓄積された全てのページが送信終了した時点で、ＣＣＵ１０はシステム制御部５に送信が終了したことを通知する。
システム制御部５は、操作部表示部４の表示部又は記録・印字部８に対して送信結果と送信ページ数と共に、更に画情報メモリ２が溢れたことを注意書きにした送信結果レポートを出力して、オペレータに相手先へは送信原稿の全ページの送信が完了していないことを通知する。
【０１４７】
次に、上記蓄積動作と共に起動させた送信動作について説明する。
システム制御部５は、ＣＣＵ１０のユニット資源の状態をチェックし、ＣＣＵ１０が使用可能ならば、操作部表示部４から入力されてシステムメモリ３に記憶された相手先電話番号の情報を読み出し、ＮＣＵ１１でその相手先電話番号へ発呼する。
【０１４８】
そして、その相手先と接続されたならば、画情報メモリ２に蓄積された画像データを読み出し、ＣＣＵ１０を通してモデム１０ａで変調させて相手先にファクシミリ送信する。
【０１４９】
この時、システム制御部５は、画情報メモリ２に対して送信する方が蓄積する方を追い越さないように制御する。その制御方法は、画情報メモリ２の書き込み位置と読み出し位置をそれぞれ記憶し、読み出しが書き込みに追いついたならば、読み出し（送信）を待たせるように制御する。
【０１５０】
また、画情報メモリ２にはメモリ受信した画像データ（画情報）や別のメモリ送信の画像データ（画情報）も混在しているので、システム制御部５は画像読取部７とＣＣＵ１０に対して画情報メモリ２の使用するメモリ領域の識別子を渡して書き込み側と読み出し側が同じメモリ領域をアクセスするように制御する。
【０１５１】
もし、送信側に何らかのエラー（例えば、相手先が話中であったり、通信エラーが発生した場合などのように呼が確立できないエラーや、呼が切断される通信エラー）が発生した場合、ＣＣＵ１０が送信の結果をシステム制御部５に通知する。
【０１５２】
システム制御部５は、同報送信で次の宛先があれば次の相手先で発呼時間（次発呼可能時間）を空けて送信開始を待つ、また、宛先が１宛先ならば再度同じ相手先で発呼時間（次発呼可能時間）を空けて送信開始を待つ。この発呼間隔の時間はＲＴＣ９で計測される。
【０１５３】
その後、発呼間隔が経過した時点で原稿蓄積動作状況に関わらず、再度相手先への発呼動作を行なう。
そして、画像蓄積動作が中止し、オペレータからの操作入力に基づいてシステム制御部５から送信中止指令を受けたときは、直ちにファクシミリ送信を中止する。また、ファクシミリ送信の継続の指示を受けたときには、それまでに画情報メモリ２に蓄積された画像データをファクシミリ送信した後、相手先との呼を切断する。
【０１５４】
また、上記クイックメモリ送信処理における再発呼中止の処理を行なうようにしてもよい。
その場合、システム制御部５は、相手先への発呼のために相手先電話番号をシステムメモリ３から呼び出して発呼する。その相手先電話番号の送出後に回線の極性反転の検出をＮＣＵ１１で行なう。そして、極性反転があれば相手機が応答した、すなわち、相手先の受話器がとられたものと判断する。
【０１５５】
次にトーンの検出を行なう。そのトーン検出はモデム１０ａで行なう。公衆回線網からＣＥＤ信号を検出したら相手先がファクシミリ装置と判断し、ファクシミリ送信の制御手順を進める。
【０１５６】
一方、公衆回線網から話中音（ビジートーン）を検出したら、相手先が電話機であり、相手先のオペレータがその受話器を取って再び受話器を戻した可能性があるので、再発呼しても繋がらない可能性がある。
【０１５７】
このような状況になったなら、システム制御部５は、画像読取部７に対して読み取り動作の中止を出し、画像読取部７は中止命令を受けたら、送信原稿の画像読み取り動作を中止し、ＣＣＵ１０に対して画像データの送信動作の中止を出し、ＣＣＵ１０は中止命令を受けたら、送信動作を中止する。
【０１５８】
さらに、相手先への再発呼の制御を中止して、オペレータがなぜ中止されたのかが分からないので、操作部表示部４の表示部又は記録・印字部８に送信結果レポートを出力して通知する。
【０１５９】
また、その相手先と接続されたならば、画情報メモリ２に蓄積された画像データを読み出し、ＣＣＵ１０を通してモデム１０ａで変調させて相手先にファクシミリ送信する。
【０１６０】
この時、システム制御部５は、画情報メモリ２に対して送信する方が蓄積する方を追い越さないように制御する。その制御方法は、画情報メモリ２の書き込み位置と読み出し位置をそれぞれ記憶し、読み出しが書き込みに追いついたならば、読み出し（送信）を待たせるように制御する。
【０１６１】
また、画情報メモリ２にはメモリ受信した画像データ（画情報）や別のメモリ送信の画像データ（画情報）も混在しているので、システム制御部５は画像読取部７とＣＣＵ１０に対して画情報メモリ２の使用するメモリ領域の識別子を渡して書き込み側と読み出し側が同じメモリ領域をアクセスするように制御する。
【０１６２】
このようにして、画像蓄積動作中に画情報メモリのメモリ残量が一定以下になったとき、オペレータに送信を続けるか停止するかを自由に選択させるので、ユーザの意志を反映させることができ、ファクシミリ装置のクイックメモリ送信の使い勝手を向上させることができる。
【０１６３】
次に、本実施形態の関連技術について説明する。
従来の通信装置のクイックメモリ送信機能は、原稿の画像データの蓄積中に相手先を呼び出したが、相手先が話中だったり、応答したが何らかの要因で呼が切断された場合、次の再発呼は全ての原稿の蓄積を待ってから再発呼していた。そのため、例えば送信ページ数が多い場合、折角クイックメモリ送信機能を利用しても通常メモリ送信と同じ動作になってしまうという問題があった。
【０１６４】
そこで、クイックメモリ送信機能を用いるときに、読み取り原稿をメモリに蓄積中でも次の再発呼が可能であれば、再発呼を試みて効率的なクイックメモリ送信を行なえるようにするとよい。
【０１６５】
また、送信原稿の画像データの蓄積中に再発呼が可能ならば再発呼を試みた場合、再発呼しても無駄な場合がある。例えば、ファクシミリ送信しようとしたが、相手先がファクシミリ受信可能な通信装置ではなくて電話機だった場合、その電話機に何度再発呼しても意味がない。
【０１６６】
例えば、２回電話だったと判断した時点で再発呼を停止する通信装置もあったが、この場合、原稿の読み取りを続けていても無駄な処理になってしまうという問題が発生する。
【０１６７】
そこで、原稿の画像データの蓄積中に送信先へ再発呼をしても接続できないと判断した場合は、その蓄積動作を中止させて無駄な動作をさせないようにするとよい。
【０１６８】
まず、原稿の画像を読み取る画像読取手段と、その手段によって読み取った画像データを蓄積する画像データ蓄積手段と、送信相手先を呼び出す送信相手先呼出手段と、上記画像データ蓄積手段に対して画像データを蓄積中に上記相手先呼出手段に送信相手先を呼び出すように制御する画像データ蓄積中送信相手先呼出制御手段と、上記相手先呼出手段によって呼び出した上記送信相手先へ上記画像データ蓄積手段に蓄積された画像データを順次送信する画像データ送信手段を備えた通信装置において、上記相手先呼出手段によって上記送信相手先との呼を確立できなかったとき、又はその呼が通信エラーで切断されたとき、上記画像データ蓄積手段への蓄積中の動作状況に関わらずに上記相手先呼出手段に対して上記送信相手先の再呼び出しを開始するように制御する再呼出制御手段を設けた通信装置にするとよい。
【０１６９】
この通信装置によれば、クイックメモリ送信機能を用いるときに、読み取り原稿をメモリに蓄積中でも次の再発呼が可能であれば、再発呼を試みて効率的なクイックメモリ送信を行なえるようにすることができる。
【０１７０】
また、上記のような通信装置において、上記相手先呼出手段の動作状態を監視する動作状態監視手段と、上記画像データ蓄積中送信相手先呼出制御手段による制御時、上記動作状態監視手段によって上記相手先呼出手段が既に他の相手先の呼び出しで動作中のとき、上記画像データ蓄積中送信相手先呼出制御手段の制御を中止し、上記画像データ蓄積手段への画像データの蓄積を続行し、上記相手先呼出手段の動作終了と共に、上記画像データ蓄積中送信相手先呼出制御手段の制御を再開するように制御する画像データ蓄積中送信相手先呼出制御再開制御手段を設けるとよい。
【０１７１】
この通信装置によれば、読み取り原稿をメモリに蓄積中でも通信装置の資源状態をチェックし、必要な資源が空いた時点で発呼を試みて効率的なクイックメモリ送信を行なうことができる。
【０１７２】
さらに、上記のような通信装置において、上記相手先呼出手段によって呼び出した送信相手先へ画像データの送信が可能か否かを判断する画像データ送信可否判断手段と、その手段によって画像データの送信が不可能であると判断されたとき、上記画像読み取り手段による画像データの読み取りと前記画像データ送信手段による画像データの送信と上記再呼出制御手段による制御とを中止するように制御する画像データ読取・送信・再呼び出し中止制御手段を設けるとよい。
【０１７３】
この通信装置によれば、原稿の画像データの蓄積中に送信先へ再発呼をしても接続できないと判断した場合は、その蓄積動作を中止させて無駄な動作をさせないようにするができる。
【０１７４】
また、上記のような通信装置において、上記画像データ蓄積手段への画像データの蓄積中に記憶容量の残量が予め設定した閾値以下になったとき、上記画像読み取り手段に対して画像データの読み取りを中止させ、上記画像データ送信手段に対して上記画像データ蓄積手段に蓄積された画像データの送信を継続するように制御する画像データ読み取り中止・送信継続制御手段を設けるとよい。
【０１７５】
この通信装置によれば、原稿読み取り中にメモリの残量をチェックし、その残量が一定量以下になった時点で原稿の蓄積を停止し、メモリに蓄積されたページまでを送信することができる。
【０１７６】
さらに、上記のような通信装置において、上記画像データ蓄積手段への画像データの蓄積中に記憶容量の残量が予め設定した閾値以下になったとき、上記画像読み取り手段に対して画像データの読み取りを中止するように制御する画像データ読み取り中止制御手段と、その手段によって画像データの読み取りを中止させたとき、送信の中止と継続とのいずれかを選択させる画像データ送信中止・継続選択手段と、その手段によって中止が選択されたとき、上記画像データ送信手段による画像データの送信を直ちに中止し、継続が選択されたとき、上記画像データ送信手段に対して上記画像データ蓄積手段に蓄積された画像データの送信を継続するように制御する画像データ送信中止・継続制御手段を設けるとよい。
【０１７７】
この通信装置によれば、メモリ残量が一定以下になった時点で送信を続けるか停止するかを任意に選択可能にし、ユーザの意志を反映させることを容易にし、通信装置の使い勝手を向上させることができる。
【図面の簡単な説明】
【０１７８】
【図１】この発明の通信装置の一実施形態のファクシミリ装置の構成を示すブロック図である。
【図２】図１に示したファクシミリ装置におけるクイックメモリ送信機能の処理を示すフローチャートである。
【図３】図２の続きの処理を示すフローチャートである。
【図４】図３の続きの処理を示すフローチャートである。
【図５】図１に示したファクシミリ装置におけるまた他のクイックメモリ送信機能の処理を示すフローチャートである。
【０１７９】
【図６】図５の続きの処理を示すフローチャートである。
【図７】図６の続きの処理を示すフローチャートである。
【図８】図１に示したファクシミリ装置におけるさらに他のクイックメモリ送信機能の処理を示すフローチャートである。
【図９】図８の続きの処理を示すフローチャートである。
【図１０】図９の続きの処理を示すフローチャートである。
【０１８０】
【図１１】図１に示したファクシミリ装置におけるさらにまた他のクイックメモリ送信機能の処理を示すフローチャートである。
【図１２】図１１の続きの処理を示すフローチャートである。
【図１３】図１２の続きの処理を示すフローチャートである。
【図１４】図１３の続きの処理を示すフローチャートである。
【符号の説明】
【０１８１】
１：画情報圧縮再生装置（ＤＣＲ）    ２：画情報メモリ    ３：システムメモリ    ４：操作部表示部    ５：システム制御部    ６：ラインバッファ    ７：画像読取部    ７ａ：原稿自動搬送装置（ＡＤＦ）    ８：記録・印字部    ８ａ：給紙ユニット    ９：リアルタイムクロック（ＲＴＣ）    １０：通信制御装置（ＣＣＵ）    １０ａ：モデム    １１：網制御装置（ＮＣＵ）    １２：バス
【図１】
2005304086.tif 000003
【図２】
2005304086.tif 000004
【図３】
2005304086.tif 000005
【図４】
2005304086.tif 000006
【図５】
2005304086.tif 000007
【図６】
2005304086.tif 000008
【図７】
2005304086.tif 000009
【図８】
2005304086.tif 000010
【図９】
2005304086.tif 000011
【図１０】
2005304086.tif 000012
【図１１】
2005304086.tif 000013
【図１２】
2005304086.tif 000014
【図１３】
2005304086.tif 000015
【図１４】
2005304086.tif 000016